(57)【特許請求の範囲】
【請求項１】
遊技機内に装着された遊技機の抽選信号を検知する手段と、該検知手段の検知信号が入力される遊技機の監視用ＣＰＵと、遊技機に装着された大当たりの発生を検知しその旨の信号を監視用ＣＰＵに出力する大当たり検知手段と、該大当たり検知手段からの入力信号に基づき前回の大当たりから今回の大当たりまでの抽選回数niを監視用ＣＰＵからの指示で記憶するＥＥＰＲＯＭ又はフラッシュメモリーと、前記ＥＥＰＲＯＭ又はフラッシュメモリーに格納された各大当たり毎の抽選回数niと予め外部から書き込まれる過去Ｎ回試行した時に得られる抽選回数の事象毎に振り分けた基準度数とを比較をするためのプログラムが格納されたＲＯＭとからなり、前記監視用ＣＰＵがＥＥＰＲＯＭ又はフラッシュメモリーに格納された各事象毎の基準度数データと各事象に振り分けられた抽選回数の度数データとの比較を行い、抽選回数度数が基準値以下又は以上の時に異常状態を報知し又は装置を停止するように構成されていることを特徴とする遊技機監視装置。
【請求項２】
前記ＥＥＰＲＯＭ又はフラッシュメモリーに書き込まれる比較用の各事象毎の基準度数データが、遊技機内のＲＯＭに記載されており、遊技機始動時に読み込むように構成されていることを特徴とする請求項１記載の遊技機監視装置。
【請求項３】
前記ＥＥＰＲＯＭ又はフラッシュメモリーに書き込まれる比較用の各事象毎の基準度数データが、遊技機の抽選機の確率（ｐ）の２項分布式より算出される所定領域毎の積分値を全面積で除した商に監視する大当り回数Ｎを乗した積を切り上げした値（上限回数）に定数ａを乗した積を基準値（補正値）としたことを特徴とする請求項１又は２記載の遊技機監視装置。
【請求項４】
前記ＥＥＰＲＯＭ又はフラッシュメモリーに書き込まれる比較用の各事象毎の基準度数データが、遊技機の抽選機の確率（ｐ）の２項分布式より算出される所定領域毎の積分値を全面積で除した商に監視する大当り回数Ｎを乗した積（上限回数）に定数ａを乗した積を切り上げした値を基準値（補正値）としたことを特徴とする請求項１又は２記載の遊技機監視装置。
【発明の詳細な説明】
【０００１】
【発明の属する技術分野】
本発明は、パチンコ、パチスロ遊技機等が設置されている店舗において、当該遊技機の出玉を監視することにより、著しく遊技者の射幸心を煽る遊技機の存在を検知してその旨を警報するように構成された監視装置に関するものである。
【０００２】
【従来の技術】
従来の遊技機の監視手段としては、各店舗が任意に各遊技機の回収玉数と補給玉数をカウントしておき、その状態をホールコンピュータで監視する方法が採られている。
またプログラムの不正を防止するために遊技機の制御部に専用ＣＰＵを使用することにより、不正プログラムを排除する機能を持たせているものが知られている。本来第三者検査機関において認定を受けることのできる遊技機は、大当りとなる確率ｐが定められており、例えば確率ｐが 200分の１の場合は10,000回抽選して61.6回以下の大当たりとなることが条件となっており、遊技機の抽選機（乱数発生機）は正規分布を示すもので作成されていることを前提とする。しかしながら、この抽選機を作為的に作成すれば大当たりが連続して出たり、大当たりの間隔が連続して長いというようなギャンブル性の高い遊技機を生み出すことが可能となる。
このような作為的に作成された抽選機は、確率分布が正規分布に従わないものとなるはずである。
【０００３】
【発明が解決しようとする課題】
しかしながら、第三者検査機関の型式認定試験を合格した遊技機であっても第三者が遊技機を不正に改造して出玉数を不正に調整した場合に遊技者やホールコンピュータ等を用いて回収玉と補給玉の数を監視していない店舗には判らず、第三者の通報による手段でしか不正行為を発見することができないでいた。
また専用ＣＰＵを装着した遊技機であっても、型式認定後の専用ＣＰＵの上から不正プログラムを記憶させたＣＰＵを装着された場合には、その不正を防げない。さらに、プログラム作成時点において特殊プログラム（判断出来なかったバグ）が存在し、ある所定の条件下で大当たりを連続させるという不具合には対処できないでいた。
ここである所定の条件下としては、互換部品によるプログラム起動タイミングのずれ、図柄変動開始の入賞タイミングによる大当り抽選の誤動作、大当たり時の大入賞口への入賞個数によるプログラムの暴走等が挙げられる。
そこで、本発明はかかる従来技術の不都合に鑑みなされたもので、専用ＣＰＵによる制御だけではなく、抽選機による乱数発生が正規分布に従って正しく行われているか否かを大当たりの発生から次の大当たりの発生までに何回抽選が行われているか(大当り間隔)を監視することにより、大当たりの起こる確率が予め設定されたものから著しく逸脱していないかをチェックできるようにした。
【０００４】
【課題を解決するための手段】
（大当たりの間隔）
不正改造等が施されている可能性のある遊技機は、極端に短い間隔で大当たりが連続する時や大当たりの間隔が極端に長い状態で連続する時が挙げられる。
このことを検査するために通常第三者検査機関では、抽選回数を例えば１万回の試行において大当たりの間隔分布をとり、明らかに偏った傾向を採るデータの有無を監視してチェックするようにしている。本発明では、図柄停止することは抽選が行われたことを意味するので、大当たりの間隔をデータとして監視する数値は図柄停止回数を採用する。
【０００５】
（図柄停止回数による大当たり間隔監視）
図柄変動に対する大当たりの間隔を確率面から監視するには大当たりが終了してから次の大当たりが発生するまでの図柄停止回数の計測を行う。
（考え方）
現在の第三者検査機関の型式認定試験で合格となる遊技機は、試射試験を行った結果大当たりの確率が例えば 200分の１の場合、10,000回の抽選において61.6回未満の確率で大当たりが発生しても良いとされている（許容範囲（ 163分の１以下））。
従って、通常の大当たりの図柄停止回数（Ｌｐ）の平均値は 200回となる。
（パラメータの設定）
遊技機における大当たりの確率ｐ（例えば 1/200）が判っている場合に、その中からｎ個を取り出した（ｎ回試行した）場合に所定の事象がｒ回発生する確率は、２項分布式により数式１ように定義される。
【０００６】
【数式１】
Ｐ（ｒ）＝nＣrｐr（１−ｐ）n-r
【０００７】
数式１より遊技機の大当たり発生確率がｐの場合に、前回の大当たり発生からｎ回変動（ｎ回抽選）して次の大当たりが１回発生する確率はＰ（１）と考えられ数式２で表される。
【０００８】
【数式２】
Ｐ（１）＝nＣ1×ｐ1×（１−ｐ）n-1＝ｎ・ｐ（１−ｐ）n-1
【０００９】
この数式２においてある区間（抽選回数）における事象発生の割合（確率）を求める場合には、その抽選回数ｎを変数として所定の区間内における数式２の積分値（面積）s1を求め、さらにその値を全面積Ｓで除する必要があり、０からαまでの区間において、その事象の発生する割合は次の数式３で表される。
この数式３より例えば10％毎の面積をとる10個の図柄変動数の領域を算出してそれぞれの事象として考えると共に10％の領域面積であることからその事象における大当りが送る確率は1/10となる、監視対象の大当たり回数Ｎを10回とするとそれぞれの事象の図柄変動回数における大当たりが起こる頻度数は１となる（上限回数）。
そして前述したように遊技機専用ＣＰＵにおいて第三者検査機関において許容される範囲は１万回抽選して61.6回未満となっていることから、これらの確率の高い遊技機が異常機とならぬように上限値を補正する必要があり、許容範囲を広げることとした。
許容範囲を広げる方式として、上限値に定数ａ（ａ：整数）を乗した。
尚、上限値が小数点以下のものが存在する場合には、上限値を切上げした後に定数ａを乗するか、定数ａを乗した後にその値を切上げすることにより補正値を定めると良い。
尚、区画する領域を10％ではなく20％にした場合には、各領域の面積割合が20％であるので、大当り監視回数Ｎが５回であっても異常機を検出することができる。
【００１０】
【数式３】
Ｐα（１）＝∫0af(x)dx／∫0bf(x)dx
＝[(p(1-p)x-1/ln(1-p))*(x-(1/ln(1-p))]0a／∫0bf(x)dx
＝[p/(1-p)ln(1-p)*(α(1-p)a-1/ln(1-p)*((1-p)a-1))]／∫0bf(x)dx
＝[p/(1-p)ln(1-p)*(α(1-p)a-1/ln(1-p)*((1-p)a-1))]／[p/(1-p)(ln(1-p))2]    但し、α＝ａ、∞＝ｂとする。
【００１１】
【表１】
0003987595.tif 000002
【００１２】
【課題を解決するための手段】
すなわち、本発明は遊技機内に装着された遊技機の抽選信号を検知する手段と、該検知手段の検知信号が入力される遊技機の監視用ＣＰＵと、遊技機に装着された大当たりの発生を検知しその旨の信号を監視用ＣＰＵに出力する大当たり検知手段と、該大当たり検知手段からの入力信号に基づき前回の大当たりから今回の大当たりまでの抽選回数niを監視用ＣＰＵからの指示で記憶するＥＥＰＲＯＭ又はフラッシュメモリーと、前記ＥＥＰＲＯＭ又はフラッシュメモリーに格納された各大当たり毎の抽選回数niと予め外部から書き込まれる過去Ｎ回試行した時に得られる抽選回数の事象毎に振り分けた基準度数とを比較をするためのプログラムが格納されたＲＯＭとからなり、前記監視用ＣＰＵがＥＥＰＲＯＭ又はフラッシュメモリーに格納された各事象毎の基準度数データと各事象に振り分けられた抽選回数の度数データとの比較を行い、抽選回数度数が基準値以下又は以上の時に異常状態を報知し又は装置を停止するように構成された遊技機監視装置により本目的を達成する。
尚。請求項２の発明は、前記ＥＥＰＲＯＭ又はフラッシュメモリーに書き込まれる比較用の頻度数の基準値データが、遊技機内のＲＯＭに記載されている遊技機監視装置である。
請求項３の発明は、ＥＥＰＲＯＭ又はフラッシュメモリーに書き込まれる比較用の頻度数の基準値データが、遊技機の抽選機の確率（ｐ）から算出される２項分布式に基づき所定領域毎の積分値を面積で除した商に監視大当り回数ｍを乗した積を切上げした値（上限回数）に定数ａを乗した積（補正値）を基準値とした遊技機監視装置。
【００１３】
【作用】
本発明にかかる監視装置では、大当たり検知手段が遊技機の大当たりを検知してから次の大当たりの検知までの間に遊技機内において抽選される回数を監視用ＣＰＵでカウントしており、次の大当たりを検知した時点においてその数値（抽選回数）がＥＥＰＲＯＭ又はフラッシュメモリーに格納される。
そしてかかる大当たりが１０回以上試行された時点において、ＥＥＰＲＯＭ又はフラッシュメモリーに格納された各事象毎の基準度数データと、実際に試行された後のＥＥＰＲＯＭ又はフラッシュメモリーに格納された抽選回数データを各事象毎の頻度数に算出したものとが比較され、該頻度数データの少なくとも一つがＥＥＰＲＯＭ又はフラッシュメモリーに格納された補正値データよりオーバーしている時に監視用ＣＰＵは遊技機を異常機と判断し、警報手段に対して警報表示したり装置を停止させたりする。
【００１４】
【実施例】
以下に本発明を図示された実施例に従って詳細に説明する。
図１及び図２において１は本発明にかかる遊技機監視装置であり、該装置は監視用ＣＰＵ２と、該ＣＰＵ２と接続された遊技機監視制御用プログラムが格納されたＲＯＭ３と、前記ＣＰＵ２と接続され遊技機に装着された抽選回数検知手段からの検知データ及び制御のための各確率事象毎の基準度数値が格納されるＥＥＰＲＯＭ（又はフラッシュメモリー）４と、遊技機１０の抽選回数のデータを監視用ＣＰＵ２に入力するためのインターフェース８と、前記監視用ＣＰＵ２と接続され遊技機の異常を表示器１４に表示させるためのＬＥＤドライバ１６と、遊技機専用ＣＰＵ６と通信信号のアイソレーションを行うためのフォトカプラーインターフェース１８及びドライバ・レシーバ２０とが接続されている。尚。２２はＣＰＵ２と接続された監視間隔、監視時間、以上検出時間を決める内部クロックであり、１２は遊技機に装着された回収玉数をカウントする回収メーターであり、９は監視用ＣＰＵの出力用インターフェースであり、２１は前記出力インターフェース９の出力により遊技機への電源の供給をＯＮ・ＯＦＦする遮断器である。
【００１５】
以上述べた構成において、まず本実施例にかかるＥＥＰＲＯＭ４には大当たり間隔を抽選回数ｎにより検知するための基準度数データが格納されている。
すなわち、大当たりの確率を1/200として描かれる２項分布式より、各事象（10％毎の領域）における確率値に大当り試行回数Ｎを乗して上限値を算出し、さらに各事象の上限値に余裕を持たせるためにその値に定数ａ（例えば２）を乗したものを補正値として、それを基準度数データとしている。
しかしながら、第三者機関において許容される抽選機の確率が（61.6/10,000≒1/163）であることから、かかるゲーム機では第７図に示すように二項分布も変動する。そこで、抽選機の確率ｐを（p=1/163）として確率1/200の補正値がその許容範囲に含まれるか否について検討したところ、以下の表２の通り基準値データ内に含まれることとなった。
尚、本実施例において上限値の算出において各事象が平均的な確率であるため、大当り監視回数Ｎを１０回として計算したが、これに限定されるものではなく各事象の確率に監視回数Ｎを乗した積を２倍し、少数点以下を切り上げした値を補正値としても良い。この場合の補正値は以下の表２のようになる。
【００１６】
【表２】
0003987595.tif 000003
【００１７】
その結果、確率ｐを 163分の１として算出した場合の上限値は、補正値を越える値とはならずその許容範囲に含まれることが判明した。
そこで、事象の設定に際して二項分布式における面積の割合が平均となる領域で区切るのではなく、抽選回数の間隔ｎが等間隔となるように領域を区切った場合(例えば 100回)における確率に監視回数Ｎ（１０回）を乗した上限値を定数ａ（２）を乗した積（上限値）の小数点以下を切り上げする形で補正値求めると以下の表３の通りとなる。
【００１８】
【表３】
0003987595.tif 000004
【００１９】
遊技機専用ＣＰＵ６は、先に本出願人が申請した特願平06-131,056号に記載されているように図３に示すような構成からなる。
すなわち遊技機専用ＣＰＵ６は、クロック発生回路２４、中央処理装置２６、リセット回路２８、内蔵デバイスアドレスデコーダ３０、識別回路３２、内蔵ＥＲＡＭ３４、メモリプログラム制御回路３６、再書き込み禁止内蔵ＲＯＭ３８、不正アドレス実行制御回路４０、カウンタタイマ４２、ウオッチドグタイマ４４、パラレル入出力ポート４６、アドレスデコーダ４８、外部通信回路５０とからなり、それぞれ、データバスやアドレスバスを介して中央処理装置２６と接続されている。
【００２０】
図４は、表示器１４としての一つの例を示す実施例であり、該表示器１４は７セグＬＥＤ１４ａ、警報ランプ１４ｂ、４つの監視状態表示ランプ１４ｃとからなり、前記７セグＬＥＤは、正常状態を”０”、監視イニシャライズ中を”−”、監視パラメータの受信異常を”ｄ”というように表示させている。
【００２１】
以上述べた構成において、本実施例にかかる遊技機監視装置は図５に示すフローチャートのように動作する。
遊技機監視装置を立ち上げた時、遊技機監視用ＣＰＵ２からフォトカプラインターフェースを介して遊技機専用ＣＰＵに対してトリガタイミングパルスが発信される。すると専用ＣＰＵは、トリガータイミングパルスを確認するとＣＰＵからインターフェースを介して監視用ＣＰＵ２に対してボーレイトパルスが送信され、ボーレイトパルスを受信した監視用ＣＰＵ２はボーレイトを決定し、専用ＣＰＵに対して遊技機監視装置認識コードを送信する。そして専用ＣＰＵが遊技機監視装置認識コードを確認した後に監視用パラメータを送信させた後にユーザプログラムを起動させる。一方監視用パラメータを受信した監視用ＣＰＵ２は、パラメータを確認した後に正しければ遊技機の大当たり監視処理に移行し、パラメータが正しくなければ前記表示器１４の７セグＬＥＤに”ｄ”と受信異常の表示をさせると共に監視装置に予め容易されたデフォルトパラメータ(基準度数)を読み込んだ後に遊技機の大当たり監視処理に移行する。
【００２２】
大当たり監視処理は、図６に示すように遊技機の大当たりの発生時期をチェックすると共に本実施例では、前回の大当たりの発生から今回の大当たりの発生までの抽選信号を毎回遊技機専用ＣＰＵから送信される停止信号をＣＰＵ２が加算していき、ＥＥＰＲＯＭ４に格納している。そして大当たりが発生した時点において、その抽選回数データをＥＥＰＲＯＭ４にメモリーさせる。本実施例では、ＥＥＰＲＯＭ４には監視回数Ｎ（１０）回分のデータを格納すると共に１１回目のデータが入力される時に最も古い抽選回数データを消去した後に書き込むように設計されており、常にＥＥＰＲＯＭ４には１０回分のデータが格納されることになる。
【００２３】
ＥＥＰＲＯＭ４に１０回分のデータが格納された状態で監視用ＣＰＵ２は予め設定された１０分割した事象に併せてヒストグラム若しくは頻度数を算出し、このデータが表１又は表２に示すように予め設定された整合表に記載されたＥＥＰＲＯＭ４の基準度数データ（補正値）よりも少ないか否か比較検討する（補正された２項分布のグラフより下方に位置すること）。その結果、ある監視状態の一つの事象において頻度数が補正値を越える時には、遊技機の抽選確率は異常であると判断し、表示器１４の警報ランプ１４ｂを点灯させるなどして遊技者及びパチンコホール側に警告を発する。また一方でＣＰＵ２からの異常出力データが出力インターフェース９を介して電源遮断器２１に出力され、遊技機１０への電力供給がストップする。
【００２４】
以上のようにして補正値（基準度数データ）を定めたものが果たして正常に異常機を検出することができるかについて検討することとした。
（検定）
ある遊技機の抽選機が1/100の確率のものと1/300の確率のものと２つ存在し、２００回以上抽選した時に、最終的に抽選確率が1/200となるように設計されたものがあり、連続して1/100の確率抽選機から大当りが連続して10回でたり、連続して1/300の確率抽選機から大当りが連続して10回でるように構成されていると仮定する。
かかる抽選機における面積割合(確率)は、数式３より以下のように表される。
【００２５】
【数式４】
Ｐα（１）＝∫0af(x)dx／∫0bf(x)dx
但し、α＝ａ、∞＝ｂとする。
【００２６】
そこで、表２の事象において、確率ｐ＝1/100又は1/300における確率分布式（図８）から算出される面積割合（確率）に監視回数Ｎ（１０）を乗して上限値と確率1/200における確率分布式から算出される面積割合に監視回数Ｎと定数ａを乗した積から算出した補正値とを比較すると以下の表４の通りとなり、これらの値が確率1/200で算出された基準度数となる補正値を上回る事象が存在するかについて比較検討した。
すると上限値が補正値を上回る事象が、確率1/100では事象１及び事象２にみられ、確率1/300では事象10にみられた。また同様に確率ｐ＝1/75，1/325の値を代入したときに予想される上限値が補正値を度数として上回る事象がみられた。さらに確率ｐ＝1/75と1/325の抽選機の場合は、それぞれの確率が交互に行われる場合にも異常となることが判明した。
尚、補正値を算出する手段として区画された各事象の確率値に定数の２を乗するように構成したが、これに限定されるものではなく確率が1/200と1/163の各事象において1/163の確率値が1/200のものを上回る最大値を算出し、その商を補正値算出のための値とすることもできる。ちなみに、表３に示される事象では定数ａを1.41としても良い。
以上のことから、二項分布式から予想される上限回数に所定の余裕を持たせて補正値を設定したものは、不正に抽選機を改造して連続的に大当りの確率を高めた遊技機を有効に監視することができる。
【００２７】
【表４】
0003987595.tif 000005
【００２８】
【発明の効果】
以上述べたように本発明にかかる遊技機監視装置は、型式認定試験を経た遊技機専用ＣＰＵか否かにかかわらず、抽選回数ｎの検出と大当たりの検出により当該遊技機の抽選機が適正な正規分布の確率のもとに作動しているかを簡単に監視することができ、ホールにとっても遊技者にとっても都合の良いものとなる。
【図面の簡単な説明】
【図１】  本発明にかかる監視装置の概略図である。
【図２】  本発明にかかる実施例の装置のブロック図である。
【図３】  遊技機に組み込まれた専用ＣＰＵのブロック図である。
【図４】  表示器を示す正面図である。
【図５】  遊技機監視装置と遊技機専用ＣＰＵとの相互通信の状況を示すフローチャートである。
【図６】  監視プログラムの流れを示すフローチャートである。
【図７】  確率が1/200及び1/163の時の二項分布を示すグラフである。
【図８】  確率が1/200,1/100及び1/300の時の二項分布を示すグラフである。
【符号の説明】
１          遊技機監視装置
２          監視用ＣＰＵ
３          ＲＯＭ
４          ＥＥＰＲＯＭ又はフラッシュメモリー
６          遊技機専用ＣＰＵ
８          インターフェース
１０        遊技機
１２        抽選回数検知手段
１４        表示器
１４ａ      ７セグＬＥＤ
１４ｂ      警報ランプ
１４ｃ      監視状態表示ランプ
１６        ＬＥＤドライバ
１８        フォトカプラインターフェース
２０        ドライバ・レシーバ
２２        内部クロック
２４        クロック発生回路
２６        中央処理装置
２８        リセット回路
３０        内蔵デバイスアドレスデコーダ
３２        識別回路
３４        内蔵ＲＡＭ
３６        メモリプログラム制御回路
３８        再書き込み禁止内蔵ＲＯＭ
４０        不正アドレス実行制御回路
４２        カウンタタイマ
４４        ウオッチドグタイマ
４６        パラレル入出力ポート
４８        アドレスデコーダ
５０        外部通信回路
【図１】
0003987595.tif 000006
【図２】
0003987595.tif 000007
【図３】
0003987595.tif 000008
【図４】
0003987595.tif 000009
【図５】
0003987595.tif 000010
【図６】
0003987595.tif 000011
【図７】
0003987595.tif 000012
【図８】
0003987595.tif 000013